(57)【特許請求の範囲】
【請求項１】
カウンター下面側に設けられたホース収納部と、前記カウンターに開設された貫通孔を通して前記ホース収納部内へ出し入れ可能に装備されたシャワーホースとを備えたシャワーホース収納構造において、前記貫通孔を通して前記シャワーホースが前記ホース収納部から一定長さ以上引き出されたとき前記シャワーホースを前記ホース収納部内へ引き込む方向へ付勢する付勢手段と、
前記カウンターの下面に取付けられ、前記付勢手段により前記シャワーホースを前記ホース収納部内へ引き込む際に前記シャワーホースの引き込む方向を規制するガイド部材と、
前記シャワーホースの全長に対してシャワーヘッドから一定長さ分をとった位置に取付けられ、前記ガイド部材に沿って移動する吊下げ具と、を備え、
引き出し長さが一定以下である場合は、前記付勢手段により付勢力を受けることなく、収納時に前記貫通孔と前記吊下げ具との間で垂れ下がった前記シャワーホースの長さ分を引き出すことができることを特徴とするシャワーホース収納構造。
【請求項２】
前記付勢手段として、前記ホース収納部内に位置する前記シャワーホースの一部に係止され、前記シャワーホースが一定長さ以上引き出されることによって弾性変形し、前記シャワーホースを前記ホース収納部内へ引き込む付勢力を発生する弾性部材を設けた請求項１記載のシャワーホース収納構造。
【請求項３】
前記付勢手段として、前記ホース収納部内に位置する前記シャワーホースの一部に係止され、前記シャワーホースが一定長さ以上引き出されることによって上昇し、前記シャワーホースを前記シャワー収納部内へ引き込む付勢力を発生する重錘を設けた請求項１記載のシャワーホース収納構造。
【請求項４】
前記付勢手段として、前記ホース収納部内に位置する前記シャワーホースの一部に係止され、前記シャワーホースが一定長さ以上引き出されることによって上昇し、前記シャワーホースを前記シャワー収納部内へ引き込む付勢力を発生する振子部材を設けた請求項１記載のシャワーホース収納構造。
【発明の詳細な説明】
【０００１】
【発明の属する技術分野】
本発明は、洗面化粧台や浴室などに設けられるシャワー設備を構成するシャワーホースの収納構造に関する。
【０００２】
【従来の技術】
洗面化粧台や浴室などに設けられているシャワー設備において、水栓金具本体から供給される湯水をシャワーヘッドへ送給するシャワーホースは、使用時の利便性を確保するため、ある程度の長さをもって装備されている。しかし、シャワーを使用していないとき露出したままのシャワーホースは外観を損ねるだけでなく、他の作業の邪魔にもなるので、カウンターに開設された貫通孔を通して、カウンター内に設けられたホース収納部内へシャワーホースを収納できるようにしたものが開発され、特開平６−１４２０００号公報などに開示されている。
【０００３】
前記公報に開示されているシャワーホース収納構造は、不使用時はシャワーホースをカウンター下面側の収納ボックスに収納しておき、使用するときに必要なだけシャワーホースを引き出すことができるので便利であるが、引き出したシャワーホースを再び貫通孔を通して収納ボックス内に押し込むのが難しいという問題があった。
【０００４】
そこで、使用するときは必要なだけシャワーホースを引き出すことができ、且つ引き出したシャワーホースを容易に収納することができるシャワーホース収納構造が開発され、特開平１０−２３４６０３号公報において開示されている。このシャワーホース収納構造においては、シャワーホースがカウンター内部に引っ張られて収納されているため、この引張力より強い力でシャワーホースを引っ張れば必要な長さだけシャワーホースを引き出すことができ、引き出したシャワーホースを収納する際、その引張力によってシャワーホースがカウンター内部へ引き込まれるので、収納も容易である。
【０００５】
【発明が解決しようとする課題】
特開平１０−２３４６０３号公報に開示されているシャワーホース収納構造においては、常時、シャワーホースがカウンター内部に引っ張られて収納されている関係上、シャワーホースは常に張力が付加された状態にあるため、シャワーホースが比較的短期間で劣化、損傷するおそれがある。
【０００６】
また、シャワーホースを引き出すには、当該シャワーホースをカウンター内部に引っ張る力より強い力で引っ張る必要があるため、力の弱い老人、子供あるいは身体障害者などにとっては取り扱い性が悪く、不便である。
【０００７】
さらに、シャワーホースが常時カウンター内部に引っ張られた状態にあることに起因する問題として、所望長さに引き出したシャワーホースがシャワー使用中などにカウンター内部へ引き込まれるのを防止する手段（クリック機構など）を設ける必要があるため、構造の複雑化、取り扱い性の悪化を招いている。
【０００８】
本発明が解決しようとする課題は、ホースの出し入れが容易で、ホースが劣化、損傷しにくく、簡素な構造で、取り扱い性に優れたシャワーホース収納構造を提供することにある。
【０００９】
【課題を解決するための手段】
化粧洗面台や浴室に設けられているシャワー設備において、カウンター下面側に設けられたホース収納部から貫通孔を通して引き出したシャワーホースを再びホース収納部内に収納する場合の問題点については、貫通孔に対するシャワーホースの最初の押し込みが最も困難であり、最初のホース押し込みがスムーズに行けば、その後のホース押し込みによる収納作業は比較的容易に行うことができるということに想到し、本発明をなすに至ったものである。特にシャワーホースの全長が長い浴室においては、本発明を採用することで大きな効果を奏する。
【００１０】
本発明のシャワーホース収納構造は、カウンター下面側に設けられたホース収納部と、カウンターに開設された貫通孔を通してホース収納部内へ出し入れ可能に装備されたシャワーホースとを備えたシャワーホース収納構造において、貫通孔を通してシャワーホースがホース収納部から一定長さ以上引き出されたときシャワーホースをホース収納部内へ引き込む方向へ付勢する付勢手段と、
前記カウンターの下面に取付けられ、前記付勢手段により前記シャワーホースを前記ホース収納部内へ引き込む際に前記シャワーホースの引き込む方向を規制するガイド部材と、
前記シャワーホースの全長に対してシャワーヘッドから一定長さ分をとった位置に取付けられ、前記ガイド部材に沿って移動する吊下げ具と、を備え、
引き出し長さが一定以下である場合は、前記付勢手段により付勢力を受けることなく、収納時に前記貫通孔と前記吊下げ具との間で垂れ下がった前記シャワーホースの長さ分を引き出すことができることを特徴とする。
【００１１】
このような構成とすることにより、シャワーホースが一定長さ以上引き出されたときのみシャワーホースがホース収納部内へ引き込まれるように付勢されることとなり、一定長さまではシャワーホースを比較的小さな力で引き出すことができ、引き出されたシャワーホースを収納する場合、貫通孔に対する最初のホース押し込みは付勢手段の引き込み力を借りて行うことが可能となるため、ホースの出し入れが容易となる。また、シャワーホースに付加される引張力は一時的なものなのでホースが劣化、損傷しにくく、引き出したシャワーホースが引き込まれないように保持する機構などが不要なので、構造は簡素であり、取り扱い性にも優れている。
【００１２】
なお、前記「一定長さ」とは、実際に座ってシャワーを使用する際に引き出されるシャワーホースの適切な長さのことであり、シャワー設備が設置される場所、使用条件などに応じて予め設定しておくものである。
【００１３】
ここで、前記付勢手段として、ホース収納部内に位置するシャワーホースの一部に係止され、シャワーホースが一定長さ以上引き出されることによって弾性変形し、シャワーホースをホース収納部内へ引き込む付勢力を発生する弾性部材を設けることが望ましい。このような弾性部材を設けることにより、一定長さ以上引き出されたシャワーホースは、その引き出し長さに比例して増大する引き込み力を受けるので、シャワーホース収納開始時における貫通孔への最初のホース押し込みが円滑化され収納作業が容易となる。なお、弾性部材としては、シャワーホースが一定長さ以上引き出されることによって伸展または収縮するスプリングなどが好適である。
【００１４】
また、前記付勢手段として、ホース収納部内に位置するシャワーホースの一部に係止され、シャワーホースが一定長さ以上引き出されることによって上昇し、シャワーホースを前記シャワー収納部内へ引き込む付勢力を発生する重錘を設けることもできる。このような重錘を設けることにより、シャワーホースを一定長さ以上引き出したとき重錘の質量に応じた一定の引き込み力が発生するので、一定長さ以上のどの位置で収納を開始しても貫通孔への最初の押し込みの際にホースは常に同じ大きさの引き込み力を受けることとなり、収納作業を容易化することができる。重錘に作用する引力を利用して付勢力を発生させるので、変形などに起因する部材の劣化がなく耐久性が向上する。また、重錘の質量の増減によって付勢力を変更できるのでシャワー設置条件に応じて任意の引き込み力を設定できる。
【００１５】
また、前記付勢手段として、ホース収納部内に位置するシャワーホースの一部に係止され、シャワーホースが一定長さ以上引き出されることよって上昇し、シャワーホースをシャワー収納部内へ引き込む付勢力を発生する振子部材を設けることもできる。このような振子部材を設けることにより、シャワーホースを一定長さ以上引き出したとき振子部材の回動角度に応じた引き込み力が発生するので、収納開始時の最初のホース押し込みが円滑化され、収納作業を容易化することができる。シャワーホースを振子部材のどの位置に係止するかによって付勢力を変更できるのでシャワー設置条件に応じて任意の引き込み力を設定することができる。
【００１６】
また、本発明においては、前記カウンターの下面に、前記付勢手段により前記シャワーホースを前記ホース収納部内へ引き込む際に前記シャワーホースの引き込む方向を規制するガイド部材を設けている。このようなガイド部材を設けたことにより、付勢手段である弾性部材、重錘または振子部材の動きが一定化され、これらの部材が設定条件と異なる挙動をすることがなくなるので、安定した収納作業性が得られる。
【００１７】
さらに、本発明においては、前記シャワーホースの全長に対してシャワーヘッドから一定長さ分をとった位置に吊下げ具を取付け、この吊下げ具が前記ガイド部材に沿って移動するように前記ガイド部材に取付けている。このようにガイド部材と吊下げ具を設けたことにより、シャワーホースの収納性をさらに向上させることができる。つまり、吊下げ具により、シャワーホースをＷ字状にホース収納部に収納することができるので、狭い空間にシャワーホースを収納することができる。
【００１８】
従来技術においては、Ｕ字形状にホースが収納されるため、カウンター下側から洗い場床面に垂れ下がってしまう。そのため、洗い場床面に垂れ下がらないようにするように、カウンター内にシャワーホース収納用の底面を有するボックスが必要であった。また、この底面にシャワーホースがぶつかりながら収納されるため当たり音を生じてしまい使用者に不快感を与えていた。
【００１９】
一方、本発明では、吊下げ具によりＷ字形状にシャワーホースを収納することができるので洗い場床面に垂れ下がることがなく、底面を有する収納ボックスを必要としない。また、底面を有する収納ボックスが必要ないので、収納時の静音性を向上することができる。
【００２０】
【発明の実施の形態】
図１は本発明の第１実施形態であるシャワーホース収納構造をシャワーホースを収納した状態で示す垂直断面図であり、図２は前記シャワーホース収納構造をシャワーホースを引き出した状態で示す垂直断面図である。
【００２１】
本実施形態のシャワーホース収納構造は、図１に示すように、カウンター１の下面側に設けられたホース収納部２と、カウンター１に開設された貫通孔３を通してホース収納部２内へ出し入れ可能に装備されたシャワーホース５とを備え、シャワーホース５の基端部は水栓金具本体６に接続され、シャワーホース５の先端部にはシャワーヘッド７が接続されている。ホース収納部２内におけるカウンター１の下面には、スプリング９が伸縮自在に緩装された棒状のスプリングガイド部材８が水平に配置され、スプリング９の基端部９ｂはスプリングガイド部材８の基端部８ｂに係止され、スプリングガイド部材８に沿ってスライド可能なスプリング９の先端部９ａにはホース収納部２内に位置するシャワーホース５の一部が８字状の吊下げ具１３を介して係止されている。
【００２２】
なお、スプリングガイド部材８は、収納スペースが小さくガイド長さを十分に取れない場合は、湾曲形状とすることが好ましい。また、スプリングガイド部材８の断面形状は、丸形状、角形状などを用いることができるが、特に、断面視において回転する方向に付勢されるように角形状とすることが好ましい。また、吊下げ具１３の形状は図１、図２に示した８字形状に限定されることはないので、他の形状であっても良い。
【００２３】
シャワーを使用する場合、シャワーヘッド７を手で把持して上方へ引っ張ればホース収納部２内に収納されているシャワーホース５が貫通孔３を通して順次繰り出されるので、必要な長さだけ引き出してシャワーを浴びることができる。ホース収納部２から引き出したシャワーホース５の長さが一定以上になると、図２に示すように、シャワーホース５が吊下げ具１３を介して係止されたスプリング９の先端部９ａがスプリングガイド部材８に沿ってその先端部８ａに移動することによってスプリング９が展伸するので、このときスプリング９に生じる収縮復元力によってシャワーホース５はホース収納部２内へ引き込まれるように付勢される。
【００２４】
このように、貫通孔３を通してシャワーホース５がホース収納部２から一定長さ以上引き出されたときシャワーホース５をホース収納部２内へ引き込む方向へ付勢する付勢手段としてスプリング９を設けているため、引き出し長さが一定以下である場合はスプリング９による付勢力を受けることなくシャワーホース５を引き出すことができ、シャワーホース５の引き出し長さが一定以上となるとシャワーホース５がホース収納部２内へ引き込まれるように付勢されることとなる。
【００２５】
したがって、一定長さまではシャワーホース５を比較的小さな力で引き出すことができ、引き出されたシャワーホース５を収納する場合、貫通孔３に対する最初のホース押し込みはスプリング９による引き込み力を借りて行うことが可能となるため、シャワーホース５の出し入れは容易である。また、シャワーホース５に付加される引張力は一定以上引き出されたときに限られる一時的なものであるため、シャワーホース５が劣化、損傷しにくく、引き出したシャワーホース５が使用中に引き込まれないように保持する機構なども不要で、構造が簡素であり、取り扱い性も優れている。
【００２６】
本実施形態においては、シャワーホース５が貫通孔３から１ｍ前後引き出されたときにスプリング９の付勢力が作用し始めるように予め設定しているため、実際に座ってシャワーを使用する際に十分な長さを確保することができ、収納性も良好である。また、この長さ以上引き出されたシャワーホース５は、スプリング９によって、その引き出し長さに比例して増大する引き込み力を受けるので、シャワーホース５の収納開始時における貫通孔３への最初のホース押し込みが円滑化され、収納作業が容易となるというメリットがある。
【００２７】
また、ホース収納部２内に、スプリング９の変形方向を直線状に規制するスプリングガイド部材８を設けているため、スプリング９の伸縮動が一定化され、スプリング９が設定条件と異なる挙動をすることがなくなり、安定した収納作業性が得られる。スプリングガイド部材８は、湾曲させて湾曲状に規制してもよい。
【００２８】
また、このスプリングガイド部材８は、カウンター１の下面に取付けられており、かつ、シャワーホース５の全長に対してシャワーヘッド７から一定長さ分をとった位置に吊下げ具１３を取付けて、この吊下げ具１３がガイド部材８に沿って移動するようにガイド部材８に取付けたことにより、シャワーホース５をＷ字状にコンパクトに狭い空間に収納することができ、また、シャワーホース５を静かに収納することができる。
【００２９】
次に、図３を参照して、本発明の第２実施形態のシャワーホース収納構造について説明する。なお、図３において図１および図２で示した第１実施形態のシャワーホース収納構造の構成部材と同じ構造、機能を有する部材については、図１および図２と同じ符号を付して説明を省略する。
【００３０】
本実施形態においては、図３に示すように、ホース収納部２から貫通孔３を通してシャワーホース５が一定長さ以上引き出されたときにシャワーホース５をホース収納部２内へ引き込むように付勢する付勢手段として、カウンター１の下面側に傾斜状態に配置されたガイド部材１１と、ガイド部材１１に沿ってスライド可能に嵌装された短管状の重錘１２とを設けている。重錘１２は、ホース収納部２内に位置するシャワーホース５の一部に対し、ガイド部材１１にスライド自在に緩装された吊下げ具１３を介して係止されているため、シャワーホース５が一定長さ以上引き出されると重錘１２がガイド部材１１に沿って上昇しシャワーホース５をシャワー収納部２内へ引き込む付勢力を発生する。
【００３１】
このような重錘１２を設けることにより、シャワーホース５を一定長さ以上引き出したとき重錘１２の質量に応じた一定の引き込み力が発生するので、一定長さ以上引き出したシャワーホース５のどの位置でホース収納を開始しても貫通孔３への最初の押し込みの際にシャワーホース５は常に同じ大きさの引き込み力を受けることとなり、収納作業を容易化することができる。
【００３２】
重錘１２に作用する引力を利用してシャワーホース５に対する付勢力を発生させるので、変形などに起因する部材の劣化がなく耐久性にも優れ、重錘１２の質量の増減によって付勢力を変更できるのでシャワー設置条件に応じて任意の引き込み力を設定できる。また、ホース収納部２内に、重錘１２の移動経路を直線状に規制するガイド部材１１を設けているため、重錘１２の動きが一定化され設定条件と異なる挙動をすることがなく、安定した収納作業性が得られる。なお、スプリングガイド部材８は、湾曲させて湾曲状に規制してもよい。
【００３３】
なお、図３に示すように、重錘１２の代わりに、あるいは重錘１２とともに、水栓金具本体６と吊下げ具１３との間に位置するシャワーホース５に短管状の重錘１５を緩装することもできる。シャワーホース５を一定長さ以上引き出すと重錘１５の質量に応じた一定の引き込み力が発生するので前述と同様の機能、効果が得られる。
【００３４】
次に、図４を参照して、本発明の第３実施形態のシャワーホース収納構造について説明する。なお、図４において、図１および図２で示した第１実施形態のシャワーホース収納構造の構成部材と同じ構造、機能を有する部材については、図１および図２と同じ符号を付して説明を省略する。
【００３５】
本実施形態では、図４に示すように、ホース収納部２から貫通孔３を通してシャワーホース５が一定長さ以上引き出されたときにシャワーホース５をホース収納部２内へ引き込むように付勢する付勢手段として、ホース収納部２内に位置するシャワーホース５の一部に係止具１７を介して係止された振子部材１６を設けている。振子部材１６はカウンター１の下面側に支軸１９を介して揺動可能に垂下され、カウンター１の下面側に水平配置されたガイド部材２０にスライド自在に緩装された吊下げ具１３に、係止具１７より先端部寄りのシャワーホース５の一部が係止されている。
【００３６】
シャワーホース５が一定長さ以上引き出されると、図４に示すように、振子部材１６が反時計方向へ回動し、シャワーホース５をシャワー収納部２内へ引き込む付勢力を発生するので、シャワーを使い終わった後のシャワーホース５の収納が容易となる。シャワーホース５を一定長さ以上引き出したとき振子部材１６の回動角度に応じた引き込み力が発生するので、収納開始時の最初のホース押し込みが円滑化され、収納作業を容易化することができる。また、シャワーホース５を振子部材１６のどの位置に係止するかによって付勢力を変更できるのでシャワー設置条件に応じて任意の引き込み力を設定することができる。
【００３７】
さらに、水平配置された支軸１９は、振子部材１６の回動経路を規制するガイド部材として機能するため、振子部材１６の動きが一定平面内に限定され、設定条件と異なる挙動をすることがなくなるので、安定した収納作業性が得られる。
【００３８】
【発明の効果】
本発明により、以下に示す効果を発揮する。
【００３９】
（１）カウンター下面側に設けられたホース収納部と、カウンターに開設された貫通孔を通してホース収納部内へ出し入れ可能に装備されたシャワーホースとを備えたシャワーホース収納構造において、貫通孔を通してシャワーホースがホース収納部から一定長さ以上引き出されたときシャワーホースをホース収納部内へ引き込む方向へ付勢する付勢手段を設け、引き出し長さが一定以下である場合は、付勢手段により付勢力を受けることなく、シャワーホースの長さ分を引き出すことができるようにしたことにより、シャワーホースの出し入れが容易となり、ホースが劣化、損傷しにくく、構造が簡素化され、取り扱い性も向上する。
【００４０】
（２）付勢手段として、ホース収納部内に位置するシャワーホースの一部に係止され、シャワーホースが一定長さ以上引き出されることによって弾性変形し、シャワーホースをホース収納部内へ引き込む付勢力を発生する弾性部材を設けることにより、シャワーホース収納開始時における貫通孔への最初のホース押し込みが円滑化され収納作業が容易となる。
【００４１】
（３）付勢手段として、ホース収納部内に位置するシャワーホースの一部に係止され、シャワーホースが一定長さ以上引き出されることによって上昇し、シャワーホースを前記シャワー収納部内へ引き込む付勢力を発生する重錘を設けることにより、収納作業が容易化し、部材の劣化がなく耐久性も向上し、付勢力の変更も容易となる。
【００４２】
（４）付勢手段として、ホース収納部内に位置するシャワーホースの一部に係止され、シャワーホースが一定長さ以上引き出されることよって上昇し、シャワーホースをシャワー収納部内へ引き込む付勢力を発生する振子部材を設けることにより、収納開始時の最初のホース押し込みが円滑化され、収納作業を容易化することができる。
【００４３】
（５）前記カウンターの下面に、付勢手段によりシャワーホースをホース収納部内へ引き込む方向を規制するガイド部材を設けたことにより、付勢手段である弾性部材、重錘または振子部材の動きが一定化され、安定した収納作業性が得られる。
【００４４】
（６）シャワーホースの全長に対してシャワーヘッドから一定長さ分をとった位置に吊下げ具を取付け、この吊下げ具がガイド部材に沿って移動するようにガイド部材に取付けたことにより、シャワーホースをＷ字状にホース収納部に収納することができるので、狭い空間にシャワーホースを静かに収納することができる。
【図面の簡単な説明】
【図１】  本発明の第１実施形態であるシャワーホース収納構造をシャワーホースを収納した状態で示す垂直断面図である。
【図２】  図１のシャワーホース収納構造をシャワーホースを引き出した状態で示す垂直断面図である。
【図３】  本発明の第２実施形態であるシャワーホース収納構造を示す垂直断面図である。
【図４】  本発明の第３実施形態であるシャワーホース収納構造を示す垂直断面図である。
【符号の説明】
１  カウンター
２  ホース収納部
３  貫通孔
５  シャワーホース
６  水栓金具本体
７  シャワーヘッド
８  スプリングガイド部材
９  スプリング
１１，２０  ガイド部材
１２，１５  重錘
１３  吊下げ具
１６  振子部材
１７  係止具
１９  支軸
【図１】
0004701548.tif 000002
【図２】
0004701548.tif 000003
【図３】
0004701548.tif 000004
【図４】
0004701548.tif 000005